(57)【要約】【課題】見かけ比重に着目したセット展開により、セットとしての秩序を正しく整える。【解決手段】少なくとも１本のロングアイアンを含み、ピッチングウェッジを含むショートアイアンまで、見かけの比重が増加してゆく２種以上の材料から構成されたヘッドを有する。【選択図】なし【特許請求の範囲】
【請求項１】
少なくとも１本のロングアイアンを含み、ピッチングウェッジを含むショートアイアンまで、見かけの比重が増加してゆく２種以上の材料から構成されたヘッドを有するアイアンゴルフクラブセット。
【請求項２】
少なくとも１本のロングアイアンを含み、ピッチングウェッジを含むショートアイアンまで、見かけの比重が減少してゆく２種以上の材料から構成されたヘッドを有するアイアンゴルフクラブセット。
【発明の詳細な説明】
【技術分野】
【０００１】
本発明は、アイアンゴルフクラブセットに関する。
【背景技術】
【０００２】
アイアンゴルフクラブセットの最重要機能は、秩序ある飛びと方向性を達成することである。そのために、アイアンゴルフクラブセットは、ライ角、ロフト角、クラブ長さ、総重量、スイングウェイトを主要な基本スペックとしてセットを構成している。たとえば、番手の流れに沿って、ライ角度は、１度刻み、ロフト角度は４度刻み、クラブ長さは０．５インチ刻み、スイングウェイトは一定など、この秩序の流れを基本セットとして、ゴルファーの技術に合わせ、あるいは、パワーに対して、若干の補正を施しながら、種々のセットを揃えている。一方、基本スペックとは別に、ヘッドやシャフトにもバリエーションを持たせ、たとえば、非力な初心者などには、ホイッピーでやわらかいシャフト、低重心で大きなスイートエリアになるようにヘッド形状やヘッドのバックコスメを工夫している。
【０００３】
このようにセット構成に補正やバリエーションを持たせる場合にも、秩序ある飛びと方向性を達成するためにヘッド形状やバックコスメにもライ角やロフト角のような秩序を継承し、アイアンセットの形状やバックコスメは、誰が見ても納得できるセットとしての流れを維持してロングアイアンからショートアイアンまで、その形が徐々に変化している。また、アイアンセットを構成する材料も、鉄の単一材料が用いられており、従来の技術は、すべてが、秩序ある飛びと方向性を維持、達成するための方法を保ってきた。
【０００４】
アイアンゴルフクラブセットの性能の連続性を全体として最大化し、しかも、プレー中に美観上の見た目やフィーリングの一貫性を維持するようにセット中の個々のクラブを設計したものとしては、少なくとも１本のロングアイアンを有し、このロングアイアンは第１の打撃フェース、その内部に第１の溝を形成させた第１の背面フェース、および第１の打撃フェースの背面に配置された第１のインサートを有し、このセットは、また、少なくとも１本のショートアイアンを有し、このショートアイアンは第２の打撃フェース、その内部に第２の溝を形成させた第２の背面フェース、および、第２の打撃フェースの背面に配置された第２のインサートを有するものが開発された。これは、インサートの質量はセットを通じて系統的に変化して、セットを通じて見た目やフィーリングの連続性を維持しつつセットの質量分配特性を系統的に変化させるようになっているものである。インサートの質量は、セットを通じてインサートの体積または密度を調整して変化させる。セットの他の設計パラメータ、例えば、溝タイプおよび深さ、ロフト角、キャビティ体積、打撃フェース面の粗度、およびソール幅をセットを通じて系統的に変化させても良い。そして、質量制御インサートは高密度インサートおよび軽量カバーを含む、高密度インサートの密度を簡易に変化させてクラブヘッドの質量分配特性を変更できる、とされている（特許文献１参照）。
【特許文献１】特開平２００７−２３６９４１号公報（５、１３頁、図９）
【発明の開示】
【発明が解決しようとする課題】
【０００５】
技術の進歩、特に製造技術と材料開発技術の進歩と共に、この秩序あるセットの流れに変化をきたしている。すなわち、単純なコスメから豪華なコスメを求め、より大きな飛びと正確な方向性、そして、より易しい機能を求めて単一材料から複数の材料へ、単純な構造から複雑な構造へと模索を繰り返しながら変遷し、現在では、２種材料から３種、４種の材料を駆使したアイアンゴルフクラブのヘッドが作られている。より高い品質を求めて広がった多種材料を駆使した設計は、ユーティリティなど、セットを意識しない単独のクラブの場合には問題とはならなくても、セットを構成しなければならない場合には新たに問題を引き起こしている。
【０００６】
周知のように、クラブヘッドの造形における機能設計は、重量との戦いであるといわれている。どのように、姿形良く造形し、また、どのように優れたインパクト機能を設計しようとも、クラブヘッドには決められたヘッド重量でなければならないという限定がある。通常５番アイアンは、２５０ｇ前後、８番アイアンは、２７０ｇ前後である。鉄の単一材料でセットを構成していた頃は、各番手のヘッド重量をヘッド形状やバックコスメ、ヘッド厚さを調整しながら、且つ、セットとしての整合をとりながら、ヘッドセットを作り上げるという離れ業を技能でこなしてきた。しかしながら、近年は、異種材料を組み合わせることが可能となった。例えば、チタン合金を主要なヘッド構成材料として、タングステン合金によるウェイトの重量周辺分散を特徴とするセットも多数提案されている。このようなウェイト分散を目的とするタングステン合金が、単にヘッドの重量調整材料としての役割を担い、ヘッドを構成するチタン合金の量とタングステン合金の量とが、セットとしての秩序を度外視したまま設計されている。その結果、重心位置や慣性モーメントなどのインパクト機能の秩序がクラブセットとして大きく乱れている。ヘッドの材料構成として比重の異なる多種類の材料を自由に使いこなせる周辺技術が整備された現在、その構成にも一定の秩序をもって対処しなければ、アイアンセットに不可欠な飛びと方向性の秩序を維持、制御してゆくことが難しくなっている。
【０００７】
特許文献１に開示されたものも、アイアンゴルフクラブセットを通じて連続性のある美観上の見た目およびフィーリングを維持し、同時に、重心特性およびモーメント特性を微調整できるようにしたものであるが、パラメータとして「見かけ比重」に着目したものではなく、複雑な構造となっている。
【０００８】
そこで、本発明は、アイアンゴルフクラブのヘッドの見かけの比重によるセット展開を図り、重心位置や慣性モーメントなどのインパクト機能をセットとして秩序正しく整えたアイアンゴルフクラブセットを提供することを目的とする。
【課題を解決するための手段】
【０００９】
上述の目的を達成するため、本発明は、少なくとも１本のロングアイアンを含み、ピッチングウェッジを含むショートアイアンまで、見かけの比重が増加してゆく２種以上の材料から構成されたヘッドを有するものである。また、少なくとも１本のロングアイアンを含み、ピッチングウェッジを含むショートアイアンまで、見かけの比重が減少してゆく２種以上の材料から構成されたヘッドを有するものである。
【発明の効果】
【００１０】
本発明は、少なくとも１本のロングアイアンを含み、ピッチングウェッジを含むショートアイアンまで、見かけの比重が増加してゆく２種以上の材料から構成されたヘッドを有するので、ロングからショートアイアンにかけて高比重のタングステンが増加し、低比重のチタン合金の量が減少するため、ヘッド体積が減少することとなり、一定の秩序を保ったセット展開となる。また、少なくとも１本のロングアイアンを含み、ピッチングウェッジを含むショートアイアンまで、見かけの比重が減少してゆく２種以上の材料から構成されたヘッドを有するものにあっては、ロングからショートアイアンにかけて高比重のタングステンが減少し、低比重のチタン合金の量が増加するため、ヘッド体積が増加することとなり、一定の秩序を保ったセット展開となる。
【発明を実施するための最良の形態】
【００１１】
見かけの比重とは、ヘッド重量を中空部を除く実際のヘッド体積で除したものと定義する。たとえば、１９８４年に販売された「Ｒｅｘｔａｒ１００」（ブリヂストンスポーツ株式会社製）のヘッド重量とヘッド体積を計測した結果の比重（見かけの比重）を表１に示す。
【００１２】
【表１】
2009142553.tif 000002
【００１３】
このヘッドは軟鉄鍛造製で、見かけの比重が、測定誤差を含めて、７．７４〜７．８６ｇ／ｃｃである。従って、実測では±０．６６程度の誤差を許容しなければならないことを付記する。ただし、実施例としては、誤差を許容しながらの説明は複雑となるので、上記のヘッド重量を平滑化して、軟鉄の比重を７．８５ｇ／ｃｃとして説明する。そこで、基準となるアイアンセットを以下の表２に表示する。
【００１４】
【表２】
2009142553.tif 000003
【００１５】
このアイアンセットをチタン合金とタングステン合金で置き換えてみる。同じヘッド重量、ヘッド形状となるように、チタン合金を主要なヘッド構成材料として、タングステン合金との組み合わせによって見かけの比重をロングからショートアイアンにかけて軟鉄鍛造と同等の比重７．８５ｇ／ｃｃとすると、表３のようなヘッド重量、ヘッド体積のチタン合金とタングステン合金の組み合わせとなる。
【００１６】
【表３】
2009142553.tif 000004
【００１７】
まず、本発明の第１の実施形態では、２番を含むロングアイアンから（少なくとも１本のロングアイアンを含み）、ピッチングウェッジを含むショートアイアンまで、見かけの比重が増加してゆく２種以上の構成材料からなるヘッドを有するアイアンゴルフクラブセットとする。このようなセットと同じヘッド重量展開となるように、チタン合金を主要なヘッド構成材料として、タングステン合金によるウェイト分散を特徴とするセットの見かけの比重をロングからショートアイアンにかけて増加するアイアンゴルフクラブセットは、表４のようになる。
【００１８】
【表４】
2009142553.tif 000005
【００１９】
第２の実施形態としては、２番を含むロングアイアンから（少なくとも１本のロングアイアンを含む）、ピッチングウェッジを含むショートアイアンまで、見かけの比重が減少してゆく２種以上の構成材料からなるアイアンゴルフクラブセットとする。そして、チタン合金を主要なヘッド構成材料として、タングステン合金によるウェイト分散を特徴とするセットの見かけの比重をロングからショートアイアンにかけて減少するアイアンにかけて減少するアイアンセットは、表５のようになる。
【００２０】
【表５】
2009142553.tif 000006